(57)【要約】【課題】電気接続箱のケース本体に収容されたバスバーに接続される電線が、電気接続箱の周辺に配置された他の部品等と干渉するのを防止すると共に、アッパーカバーにカバー壁を設けることなく前記電線と端子との圧着部を確実に保護でき、かつ、電気接続箱を小型化すると共に、電気接続箱への電線の組み付け作業性も向上させる。【解決手段】ケース本体に内部回路となるバスバーが収容され、該ケース本体の上面の外縁に沿った位置に、ボルト締め端子と接続される前記バスバーの端子部が配置され、前記ボルト締め端子を圧着した電線が、前記本体ケースの外側壁に沿って水平方向に配線されると共に、該ボルト締め端子の電線圧着部を覆う端子カバーが設けられ、該端子カバーは前記ケース本体の外側壁に設けられた切欠に嵌合される構成としている。【選択図】図１
2008154412.tif 000002
【特許請求の範囲】
【請求項１】
ケース本体に内部回路となるバスバーが収容され、該ケース本体の上面の外縁に沿った位置に、ボルト締め端子と接続される前記バスバーの端子部が配置され、
前記ボルト締め端子を圧着した電線が、前記本体ケースの外側壁に沿って水平方向に配線されると共に、該ボルト締め端子の電線圧着部を覆う端子カバーが設けられ、該端子カバーは前記ケース本体の外側壁に設けられた切欠に嵌合される構成としていることを特徴とする電気接続箱。
【請求項２】
前記ボルト締め端子の電線圧着部から軸直角方向に横出しされた電気接触部が前記バスバーの端子部に重ねられ、該電気接触部に設けたボルト穴と前記バスバーの端子部に設けられた端子穴にボルトが通されて締結される請求項１に記載の電気接続箱。
【請求項３】
前記ケース本体の外側壁に設けられた切欠は、上端より下端にかけて切り欠いた矩形状の切欠とされ、
前記切欠に嵌合される前記端子カバーは、薄肉ヒンジ部を介して開閉される矩形状の分割体からなり、一方の分割体は電線嵌合用の膨出部を備えると共に、他方の分割体の内面は平面とし、前記電線嵌合用の膨出部を備えた一方の分割体に電線圧着部を収容して前記他方の分割体で閉鎖した状態において、該カバーより前記端子の電気接触部を突出させている請求項１または請求項２に記載の電気接続箱。
【請求項４】
前記ケース本体の切欠を挟む両側部の少なくとも一方にはガイド溝が設けられていると共に、前記端子カバーにガイド突起が設けられ、該ガイド突起を前記ガイド溝に挿入して端子カバーを切欠に嵌合した状態で、該端子カバーがケース本体の外側壁と連続する防水壁となる請求項１乃至請求項３のいずれか１項に記載の電気接続箱。
【請求項５】
前記電線嵌合用の膨出部を備えていない他方の分割体の外面に位置決めリブが設けられていると共に、前記切欠より内側に位置するケース本体の外側面に位置決め凹部が設けられ、前記ガイド突起を前記ガイド溝に挿入させると共に、前記位置決めリブを前記位置決め凹部に嵌合させている請求項４に記載の電気接続箱。
【請求項６】
前記ケース本体にはアッパーカバーとロアカバーとが組付けられ、前記ケース本体に組付けられる前記端子カバーは、前記アッパーカバーとロアカバーとの間に介在される請求項１乃至請求項５のいずれか１項に記載の電気接続箱。
【発明の詳細な説明】
【技術分野】
【０００１】
本発明は電気接続箱に関するものであり、詳しくは、自動車に搭載する電気接続箱であって、ケース本体内に収容するバスバーと接続する電線を電気接続箱外面の側部に沿って配線して、電気接続箱の周辺に配置された他の部品等との干渉を防止するものである。
【背景技術】
【０００２】
自動車に搭載される電気接続箱には、ケース本体に内部回路となるバスバーが収容され、該バスバーは、ケース本体のリレー収容部やヒューズ収容部に収容されるリレーやヒューズ等と接続されると共に、ケース本体内に挿入される電源線と接続される。
例えば、特開２００５−１８５００２号公報において、図７に示すように、電線ｗの端末に接続された端子３の電気接触部３ａをケース本体１に配置されたバスバーの端子部２ａの上面に重ね合わせ、ボルトＢとナット（図示せず）により締め付け固定することによって電線ｗとバスバー２との接続を行い、該電線ｗをケース本体１の下側に引き出している。
【０００３】
しかしながら、電気接続箱の底壁近傍に周辺部品が配置されていると、電線ｗを下向きに引き出すと、電線ｗが周辺部品に干渉して電線ｗが損傷するおそれもある。
また、電気接続箱の下側に引き出される電線ｗの端末の端子３はＬ字状端子とされ、電線圧着部３ｂがケース本体１の外側に位置するため、図８に示すようなひさし状のカバー壁４ａをアッパーカバー４に設けて電線圧着部３ｂを収容する必要がある。このようなカバー壁をアッパーカバーに設けると、アッパーカバーの形状が複雑になり、アッパーカバー成形用の金型費用が高くなる点で改良の余地がある。
【０００４】
一方、特開２００６−１９１７８４号公報には、図９に示すように、ワイヤハーネス導入部５をケース本体１から一体成形で上方に突出させた電気接続箱が提案されているが、このようなタイプの電気接続箱は、外方へ場所を取って省スペースとならないだけでなく、ワイヤハーネスの引出方向規制も手作業で行わなければならないため、作業性が良くないという問題もある。
【０００５】
【特許文献１】特開２００５−１８５００２号公報
【特許文献２】特開２００６−１９１７８４号公報
【発明の開示】
【発明が解決しようとする課題】
【０００６】
本発明は前記問題に鑑みてなされたものであり、電気接続箱のケース本体に収容されたバスバーに接続される電線が、電気接続箱の周辺に配置された他の部品等と干渉するのを防止すると共に、アッパーカバーにカバー壁を設けることなく前記電線と端子との圧着部を確実に保護でき、かつ、電気接続箱を小型化すると共に、電気接続箱への電線の組み付け作業性も向上させることを課題としている。
【課題を解決するための手段】
【０００７】
前記課題を解決するため、本発明は、ケース本体に内部回路となるバスバーが収容され、該ケース本体の上面の外縁に沿った位置に、ボルト締め端子と接続される前記バスバーの端子部が配置され、
前記ボルト締め端子を圧着した電線が、前記ケース本体の外側壁に沿って水平方向に配線されると共に、該ボルト締め端子の電線圧着部を覆う端子カバーが設けられ、該端子カバーは前記ケース本体の外側壁に設けられた切欠に嵌合される構成としていることを特徴とする電気接続箱を提供している。
【０００８】
前記構成によれば、ボルト締め端子の電線圧着部を覆う端子カバーを設けることにより、アッパーカバーなどにカバー壁を設けなくても、前記電線圧着部の保護および防水を図ることができると共に、前記端子カバーがケース本体の外側壁に設けられた切欠に嵌合される構成とすることにより、前記端子カバーがケース本体の外側壁の一部としての機能も果たすことができるため、ケース本体を小型化し、省スペースに寄与することができる。
さらに、前記ボルト締め端子の電気接触部を前記バスバーの端子部と重ね合わせてボルト締めするだけで、端子同士の電気的接続と同時に、前記端子カバーのケース本体への固定も行うことができると共に、作業者が片手で電線の引出方向を水平方向に保持しなくても、電線をケース本体の外側壁にぴったり沿うように水平方向に引き出すことが可能となるため作業性を向上させ、周辺の部品等との干渉も効果的に防止できる。また、前記構成によれば、電線を撓ませることがないため、電線の長さを短くすることもできる。
【０００９】
前記ボルト締め端子の電線圧着部から軸直角方向に横出しされた電気接触部が前記バスバーの端子部に重ねられ、該電気接触部に設けたボルト穴と前記バスバーの端子部に設けられた端子穴にボルトが通されて締結される。
【００１０】
前記のように、ボルト締め端子の電線圧着部の先端からボルト穴を設けた電気接触部を軸直角方向に横出しし、電線圧着部の面と電気接触部の面とが直交する位置関係になるようにすると、電線の引出方向をケース本体の外側壁に沿った水平方向とし、上面にバスバーの端子部を配置したケース本体の外側面に前記電線圧着部を沿わせながら、前記電気接触部を安定状態でバスバーの端子部に水平に重ね合わせ、ボルト締結することができる。
【００１１】
前記ケース本体の外側壁に設けられた切欠は、上端より下端にかけて切り欠いた矩形状の切欠とされ、前記切欠に嵌合される前記端子カバーは、薄肉ヒンジ部を介して開閉される矩形状の分割体からなり、一方の分割体は電線嵌合用の膨出部を備えると共に、他方の分割体の内面は平面とし、前記電線嵌合用の膨出部を備えた一方の分割体に電線圧着部を収容して前記他方の分割体で閉鎖した状態において、該カバーより前記端子の電気接触部を突出させていることが好ましい。
【００１２】
前記のように、端子カバーを薄肉ヒンジ部を介して開閉される矩形状の分割体から構成し、一方の分割体に前記電線圧着部を収容して他方の分割体で閉鎖できるようにし、閉鎖状態において前記端子の電気接触部が突出される構造とすることにより、きわめて簡易な作業で、前記ボルト締め端子の電線圧着部全体を端子カバーに収容して端子カバーを閉鎖でき、閉鎖によって嵌合する一方の分割体と他方の分割体との隙間から前記電気接触部のみを突出させることができる。また、端子カバーを、薄肉ヒンジ部を介した分割体から構成することで端子カバーの部品点数も軽減できる。
【００１３】
さらに、前記のように、端子カバーの一方の分割体に電線嵌合用の膨出部を設けておくことにより、該膨出部が電線径サイズに合わせて電線圧着部を含めた電線を更に外方側へ覆うことが可能となるので、電線そのものが確実に固定されケース本体にぴったり沿わせることができる。よって、電線の水平保持がより確実になり、かつ電線を撓ませないようにできるため、他部品との干渉を効果的に防止できると共に電線の長さを短くすることができる。
【００１４】
また、前記のように、ケース本体の外側壁に、上端より下端にかけて切り欠いた矩形状の切欠が形成され、該切欠に前記閉鎖された矩形の端子カバーが嵌合されるようにすることにより、端子カバーと切欠との嵌合作業が矩形状とすることで一層容易となり、端子カバーや切欠を有したケース本体の金型費用も抑制される。
【００１５】
また、前記ケース本体の切欠を挟む両側部の少なくとも一方にはガイド溝が設けられていると共に、前記端子カバーにガイド突起が設けられ、該ガイド突起を前記ガイド溝に挿入して端子カバーを切欠に嵌合した状態で、該端子カバーがケース本体の外側壁と連続する防水壁となることが好ましい。
【００１６】
前記のように、ケース本体の切欠を挟む両側部の少なくとも一方にガイド溝を設けると共に、前記端子カバーの該ガイド溝に対応する位置にガイド突起を設けておくことにより、前記ガイド突起をガイド溝に沿って下端までスライドさせるだけで、前記端子カバーをケース本体の切欠に容易に嵌合させることができ、端子カバーをケース本体に位置決めすることができる。ここで前記ボルト締め端子のボルト締めを１回行うだけで前記端子カバーをケース本体に確実に固定することができるため、ケース本体と端子カバーにロック手段等を設ける必要はない。また、メンテナンスが必要になった場合でも、ボルト締めを緩めれば、容易に端子カバーをケース本体からスライドさせて取り外すことができるため、作業性を向上させることもできる。
なお、ケース本体の切欠を挟む両側部にガイド溝を設けると共に、前記端子カバーの両側にガイド突起を設けておくことがより好ましい。
また、前記嵌合状態において、端子カバーがケース本体の外側壁と連続する防水壁となるようにすることにより、ケース本体内部への浸水を効果的に防止することができる。
【００１７】
また、前記電線嵌合用の膨出部を備えていない他方の分割体の外面に位置決めリブが設けられていると共に、前記切欠より内側に位置するケース本体の外側面に位置決め凹部が設けられ、前記ガイド突起を前記ガイド溝に挿入させると共に、前記位置決めリブを前記位置決め凹部に嵌合させていることが好ましい。
【００１８】
前記端子カバーを、前記ケース本体の外側壁に設けられた切欠に嵌合させる場合には、前記電線嵌合用の膨出部を備えた一方の分割体側がケース本体の外側壁側となり、該膨出部を備えていない他方の分割体側が内面側となる。したがって、前記のように、電線嵌合用の膨出部を備えていない他方の分割体の外面に位置決めリブを設けると共に、前記切欠より内側に位置するケース本体の外側面に位置決め凹部を設けておき、前記ガイド突起を前記ガイド溝に挿入させると共に、前記位置決めリブを前記位置決め凹部に嵌合させる構成としておくことにより、端子カバーのケース本体への位置決めをより確実に行うことができる。
【００１９】
前記ケース本体にはアッパーカバーとロアカバーとが組付けられ、前記ケース本体に組付けられる前記端子カバーが、前記アッパーカバーとロアカバーとの間に介在されるようにすることが好ましい。
前記のように、前記端子カバーを、前記アッパーカバーとロアカバーとの間に介在するように配置することにより、バスバーと接続されるボルト締め端子、さらにはケース本体内部を外部から完全に遮断して保護することができる。
【発明の効果】
【００２０】
前述したように、本発明によれば、ボルト締め端子の電線圧着部を覆う端子カバーを設けることにより、アッパーカバーなどにカバー壁を設けなくても、前記電線圧着部の保護および防水を図ることができると共に、前記端子カバーがケース本体の外側壁に設けられた切欠に嵌合される構成とすることにより、前記端子カバーがケース本体の外側壁の一部としての機能も果たすことができるため、ケース本体を小型化し、省スペースに寄与することができる。
さらに、前記ボルト締め端子の電気接触部を前記バスバーの端子部と重ね合わせてボルト締めするだけで、端子同士の電気的接続と同時に、前記端子カバーのケース本体への固定も行うことができると共に、作業者が片手で電線の引出方向を水平方向に保持しなくても、電線をケース本体の外側壁にぴったり沿うように水平方向に引き出すことが可能となるため作業性を向上させ、周辺の部品等との干渉も効果的に防止できる。また、前記構成によれば、電線を撓ませることがないため、電線の長さを短くすることもできる。
【００２１】
また、前記のように、ボルト締め端子の電線圧着部の先端からボルト穴を設けた電気接触部を軸直角方向に横出しし、電線圧着部の面と電気接触部の面とが直交する位置関係になるようにすると、電線の引出方向をケース本体の外側壁に沿った水平方向とし、上面にバスバーの端子部を配置したケース本体の外側面に前記電線圧着部を沿わせながら、前記電気接触部を安定状態でバスバーの端子部に水平に重ね合わせ、ボルト締結することができる。
【００２２】
さらに、前記のように、端子カバーを薄肉ヒンジ部を介して開閉される矩形状の分割体から構成し、一方の分割体に前記電線圧着部を収容して他方の分割体で閉鎖できるようにし、閉鎖状態において前記端子の電気接触部が突出される構造とすることにより、きわめて簡易な作業で、前記ボルト締め端子の電線圧着部全体を端子カバーに収容して端子カバーを閉鎖でき、閉鎖によって嵌合する一方の分割体と他方の分割体との隙間から前記電気接触部のみを突出させることができる。
【００２３】
さらに、前記のように、端子カバーの一方の分割体に電線嵌合用の膨出部を設けておくことにより、該膨出部が電線径サイズに合わせて電線圧着部を含めた電線を更に外方側へ覆うことが可能となるので、電線そのものが確実に固定されケース本体にぴったり沿わせることができる。よって、電線の水平保持がより確実になり、かつ電線を撓ませないようにできるため、他部品との干渉を効果的に防止できると共に電線の長さを短くすることができる。
【００２４】
さらに、前記のように、ケース本体の切欠を挟む両側部の少なくとも一方にガイド溝を設けると共に、前記端子カバーの該ガイド溝に対応する位置にガイド突起を設けておくことにより、前記ガイド突起をガイド溝に沿って下端までスライドさせるだけで、前記端子カバーをケース本体の切欠に容易に嵌合させて、端子カバーをケース本体に位置決めすることができ、ここで前記ボルト締め端子のボルト締めを１回行うだけで前記端子カバーをケース本体に確実に固定することができる。
また、前記嵌合状態において、端子カバーがケース本体の外側壁と連続する防水壁となるようにすることにより、ケース本体内部への浸水を効果的に防止することができる。
【００２５】
さらに、前記のように、電線嵌合用の膨出部を備えていない他方の分割体の外面に位置決めリブを設けると共に、前記切欠より内側に位置するケース本体の外側面に位置決め凹部を設けておき、前記ガイド突起を前記ガイド溝に挿入させると共に、前記位置決めリブを前記位置決め凹部に嵌合させる構成としておくことにより、端子カバーのケース本体への位置決めをより確実に行うことができる。
【発明を実施するための最良の形態】
【００２６】
以下、本発明の実施形態を図面を参照して説明する。
図１乃至図６は本発明の実施形態を示し、電気接続箱１０は、ケース本体１１の上面にアッパーカバー１２、下面にロアカバー１３を組み付けて形成している。
【００２７】
図１〜図３に示すように、ケース本体１１には内部回路となるバスバー１４を収容し、ケース本体１１の上面１１ａには、ヒュージブルリンク搭載部１５、リレー収容部１６、ヒューズ収容部１７のほか、ケース本体上面１１ａの外縁に沿った位置には、電線ｗ端末のボルト締め端子１８と接続されるバスバー１４の端子部１４ａを設けている。
【００２８】
電線ｗ端末に接続するボルト締め端子１８は、図３に示すように、加締め部１８ａ−１と平板部１８ａ−２とからなる電線圧着部１８ａの平板部１８ａ−２の図中上側縁から、ボルト穴１８ｂ−１を設けた電気接触部１８ｂを軸直角方向に横出ししており、電線圧着部１８ａの平板部１８ａ−２と電気接触部１８ｂとが直交するように、電気接触部１８ｂを加締め側と反対向きに９０度屈曲させている。
【００２９】
また、電線ｗ端末に接続するボルト締め端子１８には、図４および図５に示すような、電線圧着部１８ａを収容する端子カバー１９を設けている。
端子カバー１９は、薄肉ヒンジ部２０を介して開閉される矩形状の分割体２１および２２からなり、図５に示すように、端子カバー１９の分割体２１、２２間に、電線ｗが接続されたボルト締め端子１８の電線圧着部１８ａを、その軸線方向が分割体２１、２２の横方向（薄肉ヒンジ部２０の長さ方向）となるように挟み込んで閉鎖することにより、互いに嵌合する分割体２１、２２の上辺部２１ａ、２２ａの隙間からボルト穴１８ｂ−１を設けた電気接触部１８ｂを突出させる構造としている。
【００３０】
具体的には、一方の分割体２１には、電線嵌合用の膨出部２１ｃを分割体２１横方向に設けている。電線嵌合用の膨出部２１ｃは分割体２１の外面側に膨出させており、電線圧着部１８ａの加締め部１８ａ−１により加締められた電線ｗの端末部分を、加締め側を外面側として膨出部２１ｃに嵌合させるものである。
また、端子カバー１９内に収容される電線圧着部１８ａの位置決めをするために、分割体２１の内面側に、電線圧着部１８ａの平板部１８ａ−２と略同一形状の収容部２１ｄを電線嵌合用の膨出部２１ｃに連続して設けている。
さらに、分割体２１の上辺部２１ａより上方に突出壁２１ｅを設けており、突出壁２１ｅの両側よりガイド突起２１ｆをそれぞれ突出させている。
【００３１】
一方、薄肉ヒンジ２０を介して開閉される他方の分割体２２には、前記膨出部２１ｃ端部２１ｃ−１に対応する位置に、膨出部２１ｃを閉鎖するための閉鎖部２２ｃを設けている。
また、分割体２２の外面には、端子カバー１９をケース本体１１外側壁１１ｂに設けた切欠１１ｂ−１に嵌合させる際に、切欠１１ｂ−１の内側に位置するケース本体１１の外側面１１ｃに位置決め凹部１１ｃ−１に嵌合する位置決めリブ２２ｄを設けている。
さらに、分割体２１には、図６に示すようなロック爪２１ｇ−１を内面に突設した上面視コ字状のロック枠２１ｇを分割体２１の側辺部２１ｂおよび膨出部２１ｃに合計４個設けている一方、分割体２２には、前記ロック枠部２１ｇの開口２１ｇ−２に挿入されロック爪２１ｇ−１が内枠部２２ｇ−１に係止される側面視コ字状の被ロック枠２２ｇを、分割体２２の側辺部２２ｂおよび閉鎖部２２ｃにそれぞれ設けている。
【００３２】
一方、ケース本体部１１の外側壁１１ｂには、図１に示すように、端子カバー１９が嵌合できる矩形状の切欠１１ｂ−１を上端より下端にかけて設けている。また、切欠１１ｂ−１を挟むケース本体外側壁１１ｂの両側部１１ｂ−２には、端子カバー１９のガイド突起２１ｆをそれぞれ挿入しスライドさせながらガイドするガイド溝１１ｂ−３を設けている。また、前記したように、切欠１１ｂ−１の内側に位置するケース本体１１の外側面１１ｃに位置決め凹部１１ｃ−１を設けている。
【００３３】
以下、電気接続箱１０の組み付けについて説明する。
まず、図５に示すように、電線ｗ端末のボルト締め端子１８の電線圧着部１８ａを端子カバー１９に収容する。即ち、電線圧着部１８ａの加締め部１８ａ−１により加締められた電線ｗの端末部分を、加締め側を外面側として分割体２１の膨出部２１ｃに嵌合させると共に、電線圧着部１８ａの平板部１８ａ−２を分割体２１の収容部２１ｄに嵌合させ、図５（Ａ）に示すように、電線圧着部１８ａを分割体２１の内面側に位置決めをした後、図５（Ｂ）に示すように、分割体２１の上面を、薄肉ヒンジ部２０に連結した分割体２２で閉鎖する。
其の際、分割体２１の各ロック枠２１ｇのロック爪２１ｇ−１が分割体２２の各被ロック枠２２ｇの内枠部２２ｇ−１に係止し、電線圧着部１８ａは分割体２１、２２間に挟み込まれた状態となると共に、ボルト穴１８ｂ−１を設けた電気接触部１８ｂが、互いに嵌合する分割体２１、２２の上辺部２１ａ、２２ａの隙間から垂直に突出した状態となる。
【００３４】
続いて、分割体２１側を外面側として、突出壁２１ｅ両側のガイド突起２１ｆをケース本体１１外側壁１１ｂの両側部１１ｂ−２に設けたガイド溝１１ｂ−３に挿入すると共に、端子カバー１９の内面側である分割体２２の外面に設けた位置決めリブ２２ｄを、切欠１１ｂ−１の内側に位置するケース本体１１外側面１１ｃに設けた位置決め凹部１１ｃ−１に嵌合させる。これにより、電線ｗ端末のボルト締め端子１８の電線圧着部１８ａを収容した端子カバー１９をケース本体１１外側壁１１ｂに設けた切欠１１ｂ−１に嵌合させ、端子カバー１９をケース本体１１に位置決めすることができる。
端子カバー１９と切欠１１ｂ−１との嵌合によって、端子カバー１９から突出させたボルト締め端子１８の電気接触部１８ｂがバスバー１４の端子部１４ａ上に重ね合わせられると共に、端子カバー１９はケース本体１１の外側壁１１ｂと連続する防水壁となる。また、電線ｗはケース本体１１ａの外側壁１１ｂに沿って、水平方向に引き出された状態となる。
【００３５】
バスバー１４の端子部１４ａと電気接触部１８ｂが重ね合わせられることにより、電気接触部１８ｂのボルト穴１８ｂ−１とバスバー端子部１４ａのボルト穴１４ａ−１とが連通され、連通したボルト穴にボルトＢを挿入して下側のナットＮに締結固定することにより、ボルト締め端子１８とバスバー端子部１４ａとが接続される。このボルト締めによって、端子カバー１９をケース本体１１に確実に固定することができる。
ケース本体１１への配線等が完了した後、ケース本体１１の上面にアッパーカバー１２を、下面にロアカバー１３を嵌合させて電気接続箱１０の組み付けが終了する。
【００３６】
前記のように、ボルト締め端子１８の電線圧着部１８ａを覆う端子カバー１９を設けることにより、アッパーカバー１２にカバー壁を設けなくても、電線圧着部１８ａの保護および防水を図ることができると共に、端子カバー１９がケース本体１１の外側壁１１ｂに設けられた切欠１１ｂ−１に嵌合される構成とすることにより、端子カバー１９がケース本体１１の外側壁１１ｂの一部としての機能も果たすことができるため、ケース本体１１を小型化し、省スペースに寄与することができる。
さらに、ボルト締め端子１８の電気接触部１８ａをバスバー１４の端子部１４ａと重ね合わせてボルト締めするだけで、端子（１４ａ、１８ｂ）同士の電気的接続と同時に、端子カバー１９のケース本体１１への固定も行うことができると共に、作業者が片手で電線ｗの引出方向を水平方向に保持しなくても、電線ｗをケース本体１１の外側壁１１ｂにぴったり沿うように水平方向に引き出すことが可能となるため作業性を向上させ、周辺の部品等との干渉も効果的に防止できる。また、前記構成によれば、電線ｗを撓ませることがないため、電線ｗの長さを短くすることもできる。
【００３７】
また、前記のように、ボルト締め端子１８の電線圧着部１８ａの先端からボルト穴１８ｂ−１を設けた電気接触部１８ｂを軸直角方向に横出しし、電線圧着部１８ａの面と電気接触部１８ｂの面とが直交する位置関係になるようにすると、電線ｗの引出方向をケース本体１１の外側壁１１ｂに沿った水平方向とし、上面にバスバーの端子部１４ａを配置したケース本体の外側面１１ｃに電線圧着部１８ａを沿わせながら、電気接触部１８ｂを安定状態でバスバーの端子部１４ａに水平に重ね合わせ、ボルト締結することができる。
【００３８】
さらに、前記のように、端子カバー１９を薄肉ヒンジ部２０を介して開閉される矩形状の分割体２１、２２から構成し、一方の分割体２１に電線圧着部１８ａを収容して他方の分割体２２で閉鎖できるようにし、閉鎖状態において端子１８の電気接触部１８ｂが突出される構造とすることにより、きわめて簡易な作業で、ボルト締め端子１８の電線圧着部１８ａ全体を端子カバー１９に収容して端子カバー１９を閉鎖でき、閉鎖によって嵌合する一方の分割体２１と他方の分割体２２との隙間から電気接触部１８ｂのみを突出させることができる。
【００３９】
さらに、前記のように、端子カバー１９の一方の分割体２１に電線嵌合用の膨出部２１ｃを設けておくことにより、膨出部２１ｃが電線径サイズに合わせて電線圧着部１８ａを含めた電線ｗを更に外方側へ覆うことが可能となるので、電線ｗそのものが確実に固定されケース本体１１にぴったり沿わせることができる。よって、電線ｗの水平保持がより確実になり、かつ電線ｗを撓ませないようにできるため、他部品との干渉を効果的に防止できると共に電線ｗの長さを短くすることができる。
【００４０】
さらに、前記のように、ケース本体１１の切欠１１ｂ−１を挟む両側部１１ｂ−２にガイド溝１１ｂ−３を設けると共に、端子カバー１９のガイド溝１１ｂ−３に対応する位置にガイド突起２１ｆを設けておくことにより、ガイド突起２１ｆをガイド溝１１ｂ−３に沿って下端までスライドさせるだけで、端子カバー１９をケース本体１１の切欠１１ｂ−１に容易に嵌合させて、端子カバー１９をケース本体１１に位置決めすることができ、ここでボルト締め端子１８のボルト締めを１回行うだけで端子カバー１９をケース本体１１に確実に固定することができる。
また、前記嵌合状態において、端子カバー１９がケース本体１１の外側壁１１ｂと連続する防水壁となるようにすることにより、ケース本体１１内部への浸水を効果的に防止することができる。
【００４１】
さらに、前記のように、電線嵌合用の膨出部２１ｃを備えていない他方の分割体２２の外面に位置決めリブ２２ｄを設けると共に、切欠１１ｂ−１より内側に位置するケース本体１１の外側面１１ｃに位置決め凹部１１ｃ−１を設けておき、ガイド突起２１ｆをガイド溝１１ｂ−３に挿入させると共に、位置決めリブ２２ｄを位置決め凹部１１ｃ−１に嵌合させる構成としておくことにより、端子カバー１９のケース本体１１への位置決めをより確実に行うことができる。
【図面の簡単な説明】
【００４２】
【図１】本実施形態における電気接続箱の分解斜視図である。
【図２】（Ａ）はケース本体の平面図であり、（Ｂ）はＡ−Ａ断面図である。
【図３】本実施形態におけるボルト締め端子の概略斜視図である。
【図４】（Ａ）は本実施形態における端子カバーの内面側を示す図であり、（Ｂ）は端子カバーの外面側を示す図である。
【図５】（Ａ）は端子カバーにボルト締め端子の電線圧着部を収容するために電線圧着部を分割体に位置決めした状態を示す図であり、（Ｂ）は端子カバーを閉鎖した状態を示す図である。
【図６】ロック枠部と被ロック枠部を示す概略斜視図である。
【図７】従来例を示す図である。
【図８】従来例を示す図である。
【図９】従来例を示す図である。
【符号の説明】
【００４３】
１０  電気接続箱
１１  ケース本体
１１ａ  （ケース本体の）上面
１１ｂ  （ケース本体の）外側壁
１１ｂ−１  切欠
１１ｂ−２  （外側壁の）両側部
１１ｂ−３  ガイド溝
１１ｃ  （切欠の内側に位置するケース本体の）外側面
１１ｃ−１  位置決め凹部
１２  アッパーカバー
１３  ロアカバー
１４  バスバー
１４ａ  （バスバーの）端子部
１８  ボルト締め端子
１８ａ  電線圧着部
１８ａ−１  加締め部
１８ａ−２  平板部
１８ｂ  電気接触部
１９  端子カバー
２０  薄肉ヒンジ部
２１、２２  分割体
２１ａ、２２ａ  上辺部
２１ｂ、２２ｂ  側辺部
２１ｃ  電線嵌合用の膨出部
２１ｄ  収容部
２１ｅ  突出壁
２１ｆ  ガイド突起
２１ｇ  ロック枠部
２１ｇ−１  ロック爪
２１ｇ−２  開口部
２２ｃ  閉鎖部
２２ｄ  位置決めリブ
２２ｇ  被ロック枠部
２２ｇ−１  内枠部
【図１】
2008154412.tif 000003
【図２】
2008154412.tif 000004
【図３】
2008154412.tif 000005
【図４】
2008154412.tif 000006
【図５】
2008154412.tif 000007
【図６】
2008154412.tif 000008
【図７】
2008154412.tif 000009
【図８】
2008154412.tif 000010
【図９】
2008154412.tif 000011